(57)【要約】【課題】被撮影者がカメラに対し横や斜めを向いた画像ショットを生成する場合でも、撮影手段で撮影した画像を確認できる。【解決手段】撮影システム１は、囲い体２０と、第１撮影手段１２と、第２撮影手段３５Ａと、モニタ１５と、を備える。第１撮影手段１２は、囲い体２０内面のうち一定の幅をもって垂直方向に延びる第１領域内２３Ａに設けられる。第２撮影手段３５Ａは、囲い体２０内面の第１領域２３Ａ外の第２領域２３Ｂに設けられる。モニタ１５は、囲い体２０内面の前記第１領域内２３Ａに設けられ、第１撮影手段１２および／または第２撮影手段３５Ａで撮影している画像を確認のために表示可能である。【選択図】図３
2018180190.tif 000002
【特許請求の範囲】
【請求項１】
囲い体と、
前記囲い体内面のうち一定の幅をもって垂直方向に延びる第１領域内に設けられた第１撮影手段と、
前記囲い体内面の前記第１領域外の第２領域に設けられた第２撮影手段と、
前記囲い体内面の前記第１領域内に設けられ、前記第１撮影手段および／または前記第２撮影手段で撮影している画像を確認のため表示可能なモニタと、を備える、撮影システム。
【請求項２】
前記第２撮影手段は、複数台設置されている、請求項１に記載の撮影システム。
【請求項３】
前記第２撮影手段は、可動自在となっている、請求項１または２に記載の撮影システム。
【請求項４】
前記第２撮影手段は、回動可能となっている、請求項１乃至３いずれかに記載の撮影システム。
【請求項５】
前記第１撮影手段または前記第２撮影手段により撮影されている前記画像に基づいて、連続する複数の画像ショットを生成することができる制御部をさらに備え、
前記モニタは、１以上のテンプレートから選択された所望のテンプレートとともに前記画像を表示し、
前記モニタは画像ショットごとに撮影を行う第１撮影手段または第２撮影手段を案内する、請求項１乃至４のいずれかに記載の撮影システム。
【請求項６】
前記モニタは、前記第１撮影手段または第２撮影手段で撮影している画像を確認のため表示するとともに、操作パネルとして機能する、請求項１乃至５のいずれかに記載の撮影システム。
【請求項７】
操作パネルを更に備え、
前記モニタは、１以上のテンプレートから前記操作パネルにより選択された所望のテンプレートとともに、前記画像を表示し、
前記操作パネルは選択されたテンプレートに基づいて、撮影を行う前記第１撮影手段または前記第２撮影手段を案内する、請求項１乃至４のいずれかに記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）が設置されている。
【０００３】
また筐体内にはカメラの下方に、カメラで撮影している画像を確認するためのモニタが設置され、被撮影者はこのモニタを確認しながらカメラにより撮影して画像ショットを生成する。
【０００４】
しかしながら、従来の撮影システムでは、モニタはカメラの下方に位置しているため、被撮影者がカメラに正対している場合は、モニタをみながらカメラで撮影している画像を確認することができるが、被撮影者がカメラに対し横や斜めを向いた画像ショットを生成する場合、被撮影者が横を向いたり、カメラから視線を外す姿勢をとったりすることになるため、モニタをみながらカメラで撮影している画像を確認することはむずかしい。
【先行技術文献】
【特許文献】
【０００５】
【特許文献１】特開２００３−２７０７１４号公報
【特許文献２】特開平１１−１９１８５６号公報
【特許文献３】特開２００５−２７４９５６号公報
【発明の概要】
【発明が解決しようとする課題】
【０００６】
本発明はこのような点を考慮してなされたものであり、被撮影者がカメラに対し横や斜めを向いた画像ショットを生成する場合でも、撮影手段で撮影している画像を容易に確認することができる撮影システムを提供することを目的とする。
【課題を解決するための手段】
【０００７】
本発明の撮影システムは、
囲い体と、
前記囲い体内面のうち一定の幅をもって垂直方向に延びる第１領域内に設けられた第１撮影手段と、
前記囲い体内面の前記第１領域外の第２領域に設けられた第２撮影手段と、
前記囲い体内面の前記第１領域内に設けられ、前記第１撮影手段および／または前記第２撮影手段で撮影している画像を確認のため表示可能なモニタと、を備える。
【０００８】
本発明の撮影システムにおいて、前記第２撮影手段は、複数台設置されていてもよい。
【０００９】
本発明の撮影システムにおいて、前記第２撮影手段は、可動自在となっていてもよい。
【００１０】
本発明の撮影システムにおいて、前記第２撮影手段は、回動可能となっていてもよい。
【００１１】
本発明の撮影システムは、前記第１撮影手段または前記第２撮影手段により撮影された画像に基づいて、連続する複数の画像ショットを生成することができる制御部をさらに備え、
前記モニタは、１以上のテンプレートから選択された所望のテンプレートとともに前記画像を表示し、
前記モニタは画像ショットごとに撮影を行う第１撮影手段または第２撮影手段を案内してもよい。
【００１２】
本発明の撮影システムにおいて、前記モニタは、前記第１撮影手段または第２撮影手段で撮影している画像を確認のため表示するとともに、操作パネルとして機能してもよい。
【００１３】
本発明の撮影システムは、操作パネルを更に備え、
前記モニタは、１以上のテンプレートから前記操作パネルにより選択された所望のテンプレートとともに、前記画像を表示し、
前記操作パネルは選択されたテンプレートに基づいて、撮影を行う前記第１撮影手段または前記第２撮影手段を案内してもよい。
【発明の効果】
【００１４】
本発明によれば、被撮影者がカメラに対し横や斜めを向いた画像ショットを生成する場合でも、撮影手段で撮影している画像を容易に確認することができる。
【図面の簡単な説明】
【００１５】
【図１】図１は、本実施の形態による撮影システムの外観を示す図である。
【図２】図２は、筐体内の構成部材の配置状態を示す図である。
【図３】図３は、撮影システムの作用を示す図である。
【図４】図４は、撮影システムの機能的構成を示すブロック図である。
【図５】図５は、撮影システムの撮影工程を示すフローチャートである。
【図６】図６（ａ）（ｂ）（ｃ）は、それぞれ、前景と、撮影画像と、後景を示す図である。
【図７】図７は、図６に示した前景と、撮影画像と、後景とを合成した合成画像を示す図である。
【図８】図８は、テンプレート表を示す図である。
【発明を実施するための形態】
【００１６】
以下、図面を参照して本発明の実施の形態について説明する。図１乃至図５は本発明による撮影システムの一実施の形態を示す図である。
【００１７】
図１には、本発明の一実施の形態の撮影システム１が、概略的に示されている。図１に示すように、撮影システム１は、底部２１と天井部２２と側部２３とを有する筐体２０と、筐体２０の側部２３の一側内面に設置された第１カメラ（第１撮影手段）１２と、側部２３の一側内面であって第１カメラ１２の下方に設置されたモニタ１５と、底部２１上に配置された金属板からなる床面２５と、を備えている。ここで、筐体２０は、撮影システム１を利用する被撮影者Ｐを囲うものであり、囲い体として機能する。囲い体としては、本実施の形態の筐体２０のような被撮影者Ｐを上下方向および側方全域から囲うものに限らず、前面および後面のみから被撮影者Ｐを囲うものであってもよい。
【００１８】
また、底部２１と床面２５との間には図示しない防振装置が介在されていてもよい。
【００１９】
次に、図２および図３を参照して、筐体２０内に設けられた撮影システム１の構成要素について説明する。
【００２０】
筐体２０の側部２３には、一定の幅をもって垂直方向に延びる第１領域２３Ａと、第１領域２３Ａ以外の第２領域２３Ｂとが形成されている。そして上述した第１カメラ１２は筐体２０内の第１領域２３Ａに配置され、モニタ１５は第１領域２３Ａ内であって第１カメラ１２の下方に配置されている。なお、モニタ１５を透明なモニタとして構成し、第１カメラ１２上にモニタ１５をハーフミラーとともに設置しても良い。
【００２１】
さらに、撮影システム１は、第１カメラ１２に加えて、筐体２０内の第２領域２３Ｂに設置された２台の第２カメラ（第２撮影手段）３５Ａ，３５Ｂを備える。
【００２２】
第１カメラ１２および２台の第２カメラ３５Ａ，３５Ｂは、被撮影者Ｐを撮影するための撮影手段であり、筐体２０内で被撮影者Ｐの静止画像である画像ショット、又は被撮影者Ｐの動画像である撮影画像を得るようになっている。
【００２３】
なお、第２カメラは、必ずしも２台設置する必要はなく、例えば１台の第２カメラ３５Ａのみを設置してもよいし、３台以上の第２カメラを設置してもよい。
【００２４】
また、２台の第２カメラ３５Ａ，３５Ｂは、各々第２領域２３Ｂに固定されているが、第２領域２３Ｂ内で上下方向あるいは横方向に移動可能となっていてもよい。さらには前後方向を含むあらゆる方向に可動自在となっていてもよい。
【００２５】
さらに、２台の第２カメラ３５Ａ，３５Ｂは、回動可能に設置されていてもよい。
【００２６】
第２カメラ３５Ａ，３５Ｂの可動や回動は、被撮影者Ｐによって手動でなされてもよいし、後述する制御部１１によって自動で制御されてもよい。
【００２７】
モニタ１５は、被撮影者Ｐが第１カメラ１２または第２カメラ３５Ａ，３５Ｂで撮影している画像（撮影画像）を被撮影者Ｐが確認するものであり、かつモニタ１５は被撮影者Ｐが撮影システム１を適宜操作するための操作パネルとしても機能する。
【００２８】
上述のように筐体２０の側部２３の一側内面には、第１カメラ１２、第２カメラ３５Ａ，３５Ｂ、モニタ１５、が設置されている。側部２３の一側に対向する他側には、第１カメラ１２または第２カメラ３５Ａ，３５Ｂから入手した撮影画像から被撮影者のみを切り抜くためのクロマキー処理用の背景が設けられている。この場合、クロマキー処理用の背景としては緑色の背景板を用いることができる。
【００２９】
また、撮影システム１は、筐体２０の側部２３の一側に配置された、検知センサ１３と、スピーカ３２と、キャッシャー３３と、投光部３４と、を備える。
【００３０】
さらに、撮影システム１は、筐体２０内に内蔵された、制御部１１と、記憶部１６と、プリンタ１７と、Ｉ／Ｏ（Input/Output）ユニット３１と、を備える。このうち制御部１１により画像処理装置１１Ａが構成される。また、筐体２０の側部２３の外面には、プリンタ１７によってプリントされた画像ショットの取出口１７ａが設けられている。
【００３１】
図４に示すように、制御部１１は、第１カメラ１２、第２カメラ３５Ａ，３５Ｂ、検知センサ１３、モニタ１５、記憶部１６、プリンタ１７およびＩ／Ｏユニット３１、と接続されている。Ｉ／Ｏユニット３１は、スピーカ３２、キャッシャー３３、投光部３４と接続されている。制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。そして第１カメラ１２または第２カメラ３５Ａ，３５Ｂによる撮影画像から、制御部１１は画像ショットを生成する。
【００３２】
第１カメラ１２および第２カメラ３５Ａ，３５Ｂは、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００３３】
検知センサ１３は、撮影システム１の筐体２０内に被撮影者Ｐが入室したことを検知する光学センサ等であり、その検知信号を制御部１１に出力する。
【００３４】
モニタ１５は、タッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備えて構成され、操作されたキーに対応する操作信号を制御部１１に出力する。
【００３５】
またモニタ１５は、ＬＣＤ（Liquid Crystal Display）等を備えて構成され、制御部１１からの制御信号に従って、撮影手順を説明するガイド画面、写真種類を選択するための選択画面等の各種操作画面を表示する。またモニタ１５は、第１カメラ１２または第２カメラ３５Ａ，３５Ｂにより撮影された被撮影者Ｐの顔画像等を表示する。
【００３６】
記憶部１６は、システムプログラムの他、顔画像撮影処理プログラム、画像処理プログラム等の各種処理プログラム及び各プログラムで処理されたデータ等を記憶している。記憶部１６は、制御部１１による制御によって、制御部１１にデータを出力する。
【００３７】
プリンタ１７は、制御部１１から入力された画像ショットのデータに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。プリント出力された画像ショットは、筐体２０の側部２３の外面の取出口１７ａから取り出される。
【００３８】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００３９】
スピーカ３２は、Ｉ／Ｏユニット３１を介して制御部１１から入力されるガイド用アナウンスの音声信号を出力する。
【００４０】
キャッシャー３３は、硬貨や紙幣の入金口、釣銭の返金口等を備えた金銭登録機である。キャッシャー３３は、入金口から入金された金額を検出して釣銭の金額を算出し、必要に応じて算出された釣銭金額分の硬貨又は紙幣を返金口に排出して料金精算を行う。キャッシャー３３は、所定の料金が入金されたことを、制御部１１に出力する。
【００４１】
投光部３４は、制御部１１から指示された発光タイミング、発光量で発光を行う。
【００４２】
次にこのような構成からなる本実施の形態の撮影システム１の作用について図５乃至図８を参照しながら説明する。図５は、撮影システム１の撮影工程を示すフローチャートである。
【００４３】
まず被撮影者Ｐが筐体２０内に入ると、検知センサ１３により被撮影者Ｐが検出される。このとき、被撮影者Ｐが検出されたという入力に基づいて、制御部１１は、モニタ１５およびスピーカ３２を制御する。制御部１１の制御により、モニタ１５上にガイダンスが表示され、同時にスピーカ３２から撮影ガイドに係るアナウンス音声が出力される。
【００４４】
次いで、キャッシャー３３へ、料金が投入され、キャッシャー３３において入金された金額のチェックが行われる。所定の金額が入金されたことが確認されると、その旨がＩ／Ｏユニット３１を介して制御部１１に出力され、制御部１１は、撮影工程を開始するよう各部を制御する。
【００４５】
以下、図５に示すように、モニタ１５に表示されたガイダンスに沿って撮影工程が行なわれる。
【００４６】
まず、モニタ１５上に写真種類を選択するための選択画面が表示される。被撮影者Ｐはモニタ１５上で所望のテンプレート（撮影デザイン）を選択する。この場合、記憶部１６内に予め図８に示すようなテンプレート１〜４を含むテンプレート表が記憶されている。この場合、テンプレート表は、テンプレートごとに対応する画像ショットの数に関する情報を含んでいる。このうちテンプレート１〜３では画像ショットの数が単一（シングル）であり、テンプレート４では画像ショットの数が複数（マルチ）である。
【００４７】
被撮影者Ｐが第１モニタ上でテンプレート１〜４のうち、例えば画像ショットの数が単一であるテンプレート１を選択する場合について、説明する。
【００４８】
テンプレート１は例えば前景４０ａ（図６（ａ））と、後景４０ｂ（図６（ｃ））とを含み、制御部１１はこれら前景４０ａおよび後景４０ｂと、カメラにより撮影された撮影画像４０ｃとを後景、撮影画像、前景の順に重ねて合成して、合成画像４１を生成し、モニタ１５に表示する（図７参照）。
【００４９】
テンプレート１は被撮影者を右側の第２カメラ３５Ｂで撮影したときに最適となる前景４０ａおよび後景４０ｂを有している。このためモニタ１５は、「右のカメラで撮影します」等のガイダンスを表示するとともに、スピーカ３２も同様のガイダンスをアナウンスする（図２及び図３参照）。
【００５０】
次に制御部１１により右側の第２カメラ３５Ｂを作動させ、モニタ１５に第２カメラ３５Ｂで撮影している画像が表示される。このときモニタ１５に表示される撮影画像は、第２カメラ３５Ｂが第２領域２３Ｂに配置されているため、第２カメラ３５Ｂに対して横を向いたり、第２カメラ３５Ｂから視線を外す姿勢をとったりしている被撮影者Ｐの撮影画像となり、被撮影者Ｐはこのモニタ１５に表示された自分の撮影画像を確認することができる。
【００５１】
次に制御部１１は、モニタ１５やスピーカ３２等による「右のカメラで撮影します」のガイダンスの後自動的に第２カメラ３５Ｂのシャッタを切って、第２カメラ３５Ｂにより撮影された画像から画像ショットを生成する。
【００５２】
この場合、制御部１１が自動的にシャッタを切ることなく、被撮影者Ｐ自身がモニタ１５に表示されたスイッチを操作することで、第２カメラ３５Ｂのシャッタを切るようにしてもよい。
【００５３】
このようにしてテンプレート１を選択した場合の撮影工程が終了する。
【００５４】
他方、テンプレート１〜４のうち、テンプレート４を選択した場合は、テンプレート４では画像ショットの数が複数であるため、上述の撮影工程を規定された数の画像ショットを連続して生成する。
【００５５】
生成された単一のまたは複数の画像ショットは、制御部１１の画像処理装置１１Ａによって処理される。画像処理には、記憶部１６に記憶されているプログラムが適宜制御部１１に出力されて用いられる。
【００５６】
処理された画像ショットは、プリンタ１７によってプリントされ、取出口１７ａから取り出される。
【００５７】
以上のように本実施の形態によれば、被撮影者がカメラに対し横や斜めを向いた画像ショットを生成する場合でも、第２カメラ３５Ａ，３５Ｂで撮影している画像をリアルタイムで容易に確認することができる。
【００５８】
また、従来の撮影システムでは、筐体内に１台のカメラが固定されているため、１台の筐体で様々な角度から被撮影者を撮影することが困難であった。しかしながら、本実施の形態によれば、複数台（第１カメラ１２および第２カメラ３５Ａ，３５Ｂ）のカメラが設けられているため、様々な角度から容易に被撮影者を撮影することができる。とりわけ、第２カメラ３５Ａ，３５Ｂが可動自在および／または回動可能であると、より容易に様々な角度から容易に被撮影者を撮影することができる。
【００５９】
また、モニタ１５は、第１カメラ１２で撮影した画像を表示するモニタとして用い、被撮影者Ｐがこのモニタ１５をみて画像を確認してもよい。
【００６０】
さらに、被撮影者Ｐがテンプレート４を選択した場合、テンプレート４は画像ショットの数が複数であるが、この場合、画像ショット毎にどのカメラ（第１カメラ１２または第２カメラ３５Ａ，３５Ｂ）によって撮影するかを更に選択することもできてもよい。
【００６１】
また、画像ショットの数が複数であるテンプレートを選択した場合、各画像ショットの形状が小さい場合は、モニタ１５に撮影領域のみを拡大して表示してもよい。
【符号の説明】
【００６２】
１    撮影システム
１１    制御部
１２    第１カメラ
１３    検知センサ
１５    モニタ
１６    記憶部
１７    プリンタ
１７ａ  取出口
２０    筐体
２１    底部
２２    天井部
２３    側部
２５    床面
３１    Ｉ／Ｏユニット
３２    スピーカ
３３    キャッシャー
３４    投光部
３５Ａ、３５Ｂ  第２カメラ
【図１】
2018180190.tif 000003
【図２】
2018180190.tif 000004
【図３】
2018180190.tif 000005
【図４】
2018180190.tif 000006
【図５】
2018180190.tif 000007
【図６】
2018180190.tif 000008
【図７】
2018180190.tif 000009
【図８】
2018180190.tif 000010